(57)【要約】【課題】横幅をできる限りコンパクトな状態になるように折り畳めるとともに、良好なタッチ感を得ることができる鍵盤装置を提供する。【解決手段】複数の鍵盤ブロック２が、前後方向に延びる回動軸８ａを有するヒンジ８を介して、互いに回動自在に連結され、展開状態と所定の折畳み状態との間で、変形可能な鍵盤装置１であって、鍵盤ブロック２は、各々が前後方向に延びかつ互いに左右方向に並んだ状態に配置された複数の鍵３を有し、これらを所定の押鍵動作が可能な状態に保持する鍵盤ユニット４と、上方に開放し、鍵盤ユニット４を昇降自在に収容する収容ケース５と、鍵盤ユニット４を、複数の鍵３が収容ケース５の上端よりも上方に位置する演奏位置と、演奏位置よりも下位でかつ複数の鍵３が収容ケース５の上端よりも下方に位置する収納位置とにおいてそれぞれ、上下方向に不動にロックするロック機構６と、を備えている。【選択図】図１
2019174591.tif 000002
【特許請求の範囲】
【請求項１】
複数の鍵盤ブロックが、前後方向に延びる回動軸を有するヒンジを介して、互いに回動自在に連結され、当該複数の鍵盤ブロックが左右方向に延びるように展開する展開状態と、所定の折畳み状態との間で、変形可能な鍵盤装置であって、
前記鍵盤ブロックは、
各々が前後方向に延びかつ互いに左右方向に並んだ状態に配置された複数の鍵を有し、当該複数の鍵を所定の押鍵動作が可能な状態に保持する鍵盤ユニットと、
上方に開放するケース状に形成され、前記鍵盤ユニットを昇降自在に収容する収容ケースと、
前記鍵盤ユニットを、前記複数の鍵が前記収容ケースの上端よりも上方に位置する演奏位置と、当該演奏位置よりも下位でかつ当該複数の鍵が前記収容ケースの上端よりも下方に位置する収納位置とにおいてそれぞれ、上下方向に不動にロックするロック手段と、
を備えていることを特徴とする鍵盤装置。
【請求項２】
前記鍵盤ユニットの前記複数の鍵は、１オクターブ分以上の鍵で構成されていることを特徴とする請求項１に記載の鍵盤装置。
【請求項３】
前記複数の鍵盤ブロックは、３つ又は５つの鍵盤ブロックで構成されていることを特徴とする請求項２に記載の鍵盤装置。
【請求項４】
前記ロック手段は、
各々が前後方向に所定長さ延び、互いに左右方向に間隔を隔てた状態でかつ左右方向に移動自在に構成され、前記鍵盤ユニットと一体に昇降可能な左右一対のロック用ロッドと、
前記収容ケースの前板及び後板にそれぞれ形成され、前記各ロック用ロッドが貫通した状態で係合し、当該ロック用ロッドの昇降を許容するとともに、上下の所定位置においてそれぞれ、当該ロック用ロッドを係止可能な係止溝と、
を有していることを特徴とする請求項１から３のいずれかに記載の鍵盤装置。
【発明の詳細な説明】
【技術分野】
【０００１】
本発明は、電子鍵盤楽器などに適用され、折畳み可能に構成された鍵盤装置に関する。
【背景技術】
【０００２】
従来、折畳み可能な鍵盤装置として、例えば特許文献１に記載されたものが知られている。この鍵盤装置では、その外装ケースを構成する左右対称の２つの鍵盤ケースを備えており、両鍵盤ケースの前半部にそれぞれ、複数の鍵（４４鍵）を有する鍵盤部が設けられている。また、両鍵盤ケースの互いに隣接する部分には、それらの鍵盤ケースを折り畳めるように構成された前後２つのヒンジ部が設けられている。
【０００３】
具体的には、後側のヒンジ部である連結ヒンジ部は、両鍵盤ケースの上面後部に設けられ、これらの鍵盤ケースを、前後方向に延びる軸線を中心として回動可能に連結している。一方、前側のヒンジ部である補助ヒンジ部は、両鍵盤ケースの前面に設けられ、これらの鍵盤ケースを上記軸線を中心として回動可能に連結することに加えて、左右方向に延びる軸線を中心として回動可能に構成されている。つまり、補助ヒンジ部は、鍵盤装置の折り畳みの際に、後側の連結ヒンジ部と協働して、前後方向に延びる同一の軸線を中心として回動することで、左右の鍵盤ケースを折り畳み可能とする一方、鍵盤装置の使用時に、鍵盤部よりも上方に突出していた部分が下方に回動することで、演奏の邪魔にならないようになっている。
【先行技術文献】
【特許文献】
【０００４】
【特許文献１】特許第４９５２１９５号公報
【発明の概要】
【発明が解決しようとする課題】
【０００５】
上記の折畳み可能な鍵盤装置では、鍵盤ケースが左右２つに分割され、保管時や運搬時に、それらを折り畳むことによって、左右方向の横幅を１／２にコンパクトにしている。しかし、アコースティックピアノと同様の８８鍵を有する鍵盤装置では、上記のように折り畳まれたとしても、４４鍵分の横幅を有しており、横幅のコンパクトさが十分とは言えない。また、上記の鍵盤装置では、補助ヒンジ部として特殊な構造のヒンジが必要になり、その分、コストが上昇してしまう。
【０００６】
さらに、上記の鍵盤装置では、厚さが比較的薄く構成されており、それにより、折り畳まれた状態でも、高さ寸法を低く抑えることが可能になっている。しかし、この鍵盤装置では、厚さが薄く構成されているために、各鍵が全体的に単に上下するような動作しかできないと考えられ、その場合には、アコースティックピアノの鍵盤におけるタッチ感とは全く異なるタッチ感になってしまう。
【０００７】
本発明は、以上のような課題を解決するためになされたものであり、横幅をできる限りコンパクトな状態にするように折り畳めるとともに、良好なタッチ感を得ることができる鍵盤装置を提供することを目的とする。
【課題を解決するための手段】
【０００８】
上記の目的を達成するために、請求項１に係る発明は、複数の鍵盤ブロックが、前後方向に延びる回動軸を有するヒンジを介して、互いに回動自在に連結され、複数の鍵盤ブロックが左右方向に延びるように展開する展開状態と、所定の折畳み状態との間で、変形可能な鍵盤装置であって、鍵盤ブロックは、各々が前後方向に延びかつ互いに左右方向に並んだ状態に配置された複数の鍵を有し、複数の鍵を所定の押鍵動作が可能な状態に保持する鍵盤ユニットと、上方に開放するケース状に形成され、鍵盤ユニットを昇降自在に収容する収容ケースと、鍵盤ユニットを、複数の鍵が収容ケースの上端よりも上方に位置する演奏位置と、演奏位置よりも下位でかつ複数の鍵が収容ケースの上端よりも下方に位置する収納位置とにおいてそれぞれ、上下方向に不動にロックするロック手段と、を備えていることを特徴とする。
【０００９】
この構成によれば、複数の鍵盤ブロックが、前後方向に延びる回動軸を有するヒンジを介して、互いに回動自在に連結されることによって鍵盤装置が構成されており、この鍵盤装置は、上記の展開状態と折畳み状態との間で、変形可能になっている。各鍵盤ブロックは、互いに左右方向に並んだ複数の鍵を所定の押鍵動作が可能な状態に保持する鍵盤ユニットと、これを昇降自在に収容する収容ケースとを備えており、この鍵盤ユニットが、ロック手段により、上記の演奏位置と収納位置とにおいてそれぞれ、上下方向に不動にロックされる。
【００１０】
上記の鍵盤装置では、展開状態において、全ての鍵盤ブロックの鍵盤ユニットを演奏位置にロックすることにより、収容ケースが邪魔になることなく、所定の押鍵動作、例えばアコースティックピアノに近似したタッチ感が得られる押鍵動作を確保しながら、鍵盤を操作することができる。また、鍵盤装置を折り畳む場合に、全ての鍵盤ブロックの鍵盤ユニットを収納位置にロックし、所定の折畳み状態とすることにより、折畳みの際に鍵が邪魔になることなく、鍵盤装置を容易に折り畳むことができる。
【００１１】
請求項２に係る発明は、請求項１に記載の鍵盤装置において、鍵盤ユニットの複数の鍵は、１オクターブ分以上の鍵で構成されていることを特徴とする。
【００１２】
一般に、アコースティックピアノの鍵盤は、８８の鍵を有しており、１オクターブ分の白鍵及び黒鍵として、１２の鍵を有している。本発明の鍵盤装置が、上記のような鍵盤と同数の鍵を有する場合、鍵盤装置は最大７つの鍵盤ブロック（鍵盤ユニット）で構成される。つまり、折畳み状態の鍵盤装置に対し、多くとも７つの鍵盤ブロックを展開し、それらの鍵盤ブロックの鍵盤ユニットをそれぞれ、演奏位置にロックすることにより、鍵盤装置を演奏可能な状態にセットすることができる。逆に、展開状態の鍵盤装置に対し、多くとも７つの鍵盤ブロックの鍵盤ユニットをそれぞれ、収納位置にロックし、それらの鍵盤ブロックを折り畳むことにより、鍵盤装置を収納や運搬可能なコンパクトな状態にセットすることができる。また、鍵盤ユニットの鍵の数を１オクターブ分よりも多くし、鍵盤ブロック（鍵盤ユニット）の数を７未満にすることも可能であり、それにより、鍵盤装置の上述した展開及び折畳みを、より効率良く行うことができる。
【００１３】
請求項３に係る発明は、請求項２に記載の鍵盤装置において、複数の鍵盤ブロックは、３つ又は５つの鍵盤ブロックで構成されていることを特徴とする。
【００１４】
この構成によれば、鍵盤装置が、３つ又は５つの鍵盤ブロックで構成されているので、中央の鍵盤ブロックを中心として、それ以外の他の鍵盤ブロックを展開したり、折り畳んだりすることにより、鍵盤装置の展開及び折畳みを効率良く行うことができる。
【００１５】
請求項４に係る発明は、請求項１から３のいずれかに記載の鍵盤装置において、ロック手段は、各々が前後方向に所定長さ延び、互いに左右方向に間隔を隔てた状態でかつ左右方向に移動自在に構成され、鍵盤ユニットと一体に昇降可能な左右一対のロック用ロッドと、収容ケースの前板及び後板にそれぞれ形成され、各ロック用ロッドが貫通した状態で係合し、ロック用ロッドの昇降を許容するとともに、上下の所定位置においてそれぞれ、ロック用ロッドを係止可能な係止溝と、を有していることを特徴とする。
【００１６】
この構成によれば、ロック手段としての左右一対のロック用ロッドは、各々が前後方向に所定長さ延び、互いに左右方向に間隔を隔てた状態でかつ左右方向に移動自在に構成されている。また、これらのロック用ロッドは、鍵盤ユニットと一体に昇降可能になっている。一方、収容ケースの前板及び後板にはそれぞれ、所定の係止溝が形成されている。各係止溝は、ロック用ロッドが貫通した状態で係合しており、そのロック用ロッドの昇降を許容するとともに、上下の所定位置においてそれぞれ、ロック用ロッドを係止可能に構成されている。したがって、左右一対のロック用ロッドを、例えば係止溝の上側の所定位置に係止することにより、鍵盤ユニットを演奏位置にロックする一方、一対のロック用ロッドを、係止溝の下側の所定位置に係止することにより、鍵盤ユニットを収納位置にロックすることが可能である。このように、左右一対のロック用ロッド及び収容ケースの係止溝による簡易な構成により、上記のロック手段を比較的容易に構成することができる。
【図面の簡単な説明】
【００１７】
【図１】本発明の一実施形態による鍵盤装置を示す斜視図であり、鍵盤ブロックを展開状態にした鍵盤装置において、全鍵盤ユニットを演奏位置にセットした状態を示す。
【図２】鍵盤装置の一部を拡大して示す斜視図であり、（ａ）は、隣接する鍵盤ユニットを演奏位置にセットした状態、（ｂ）は、隣接する鍵盤ユニットを収納位置にセットした状態、（ｃ）は、隣接する鍵盤ブロックを折り畳んだ状態を示す。
【図３】図１に示す鍵盤装置において、全鍵盤ユニットを収納位置にセットした状態を示す。
【図４】鍵盤装置の折畳み手順を説明するための模式図である。
【図５】鍵盤ブロックを折畳み状態にした鍵盤装置を示す斜視図である。
【発明を実施するための形態】
【００１８】
以下、図面を参照しながら、本発明の好ましい実施形態を詳細に説明する。図１は、本発明の一実施形態による鍵盤装置を示している。この鍵盤装置１は、電子ピアノなどの電子鍵盤楽器に適用され、折り畳み可能に構成されたものである。
【００１９】
図１に示すように、この鍵盤装置１は、互いに回動自在に連結された５つの鍵盤ブロック２で構成されている。なお、以下の説明では、５つの鍵盤ブロック２を区別する場合、それらを左側から順にそれぞれ、「左端鍵盤ブロック２Ａ」、「左中鍵盤ブロック２Ｂ」、「中央鍵盤ブロック２Ｃ」、「右中鍵盤ブロック２Ｄ」及び「右端鍵盤ブロック２Ｅ」というものとする。
【００２０】
各鍵盤ブロック２は、１オクターブ分以上の複数の鍵３を有し、これらの鍵３を所定の押鍵動作、具体的には、アコースティックピアノに近似したタッチ感が得られる押鍵動作が可能な状態に保持する鍵盤ユニット４と、この鍵盤ユニット４を昇降自在に収容する収容ケース５と、鍵盤ユニット４を上下の後述する演奏位置と収納位置にロックするロック機構６（ロック手段）とを備えている。
【００２１】
鍵盤ユニット４は、各々が前後方向に所定長さ延び、左右方向に並んだ状態に配置された複数の鍵３（白鍵３ａ及び黒鍵３ｂ）を有している。また、上記の５つの鍵盤ブロック２Ａ〜２Ｅでは、それぞれの鍵盤ユニット４が以下の鍵３を有している。すなわち、左端鍵盤ブロック２Ａは、１オクターブ分の１２鍵（白鍵：７、黒鍵：５）及び３つの鍵（白鍵：２、黒鍵：１）を有し、左中鍵盤ブロック２Ｂは、１オクターブ分の１２鍵を有し、中央鍵盤ブロック２Ｃは、３オクターブ分の３６鍵（白鍵：２１、黒鍵：１５）を有し、右中鍵盤ブロック２Ｄは、１オクターブ分の１２鍵を有し、そして、右端鍵盤ブロック２Ｅは、１オクターブ分の１２鍵及び１つの鍵（白鍵：１）を有している。したがって、この鍵盤装置１は、一般的なアコースティックピアノと同様、８８の鍵３を有している。
【００２２】
図２（ａ）は、鍵盤装置１の一部、具体的には、中央鍵盤ブロック２Ｃと右中鍵盤ブロック２Ｄの連結部分を中心に示している。同図（ａ）に示すように、鍵盤ユニット４は、上方に開放するボックス状のユニットボックス４ａを有しており、上記の複数の鍵３がユニットボックス４ａから上方に突出した状態に配置されている。また、図示しないが、ユニットボックス４ａ内には、各鍵３を、押下げ可能な状態で下方から支持する鍵支持機構や、押し下げられた鍵３を上方に付勢し、元の位置に戻すための復元ばねなどが内蔵されている。
【００２３】
上記の鍵支持機構として、例えば、複数のリンクバーで構成され、ユニットボックス４ａ内の底面と鍵３との間で高さが変化したり、押鍵時に鍵３の前端部が後端部よりも下方に移動したりするリンク機構などを採用することが可能である。一方、復元ばねとして、上下方向に延びるように配置されたコイルばねや、水平に延びるように配置され、一端部が不動に支持され、鍵３の所定部位が他端部に上方から当接する板ばねなどを採用することが可能である。以上のような鍵支持機構及び復元ばねを採用することにより、アコースティックピアノに近似したタッチ感を有する鍵盤ユニット４を得ることができる。
【００２４】
なお、ユニットボックス４ａ内に、所定のセンサやスイッチ、電子基板などの機器を設置することにより、各鍵３が押鍵される際の押鍵情報を取得することが可能である。
【００２５】
収容ケース５は、水平な底板１１と、その前端及び後端に直角に連なり、互いに平行でかつ上方に延びる前板１２及び後板１３とを有し、側面形状が上方に開口するコ字状に形成されている。また、収容ケース５は、収容する鍵盤ユニット４に応じて、それよりも一回り大きく形成されている。
【００２６】
ロック機構６は、前後方向に所定長さ延び、互いに左右方向に間隔を隔てて平行に配置された左右一対のロック用ロッド７、７と、前板１２及び後板１３にそれぞれ形成され、両ロック用ロッド７、７が貫通した状態で係合し、各ロック用ロッド７を上下の所定位置にそれぞれ係止する左右２つの係止溝１２ａ、１２ｂ（後板１３の係止溝については、右側の係止溝１３ｂの一部のみ図示）とを有している。なお、図２では、前板１２に形成された左右の係止溝１２ａ、１２ｂと、後板１３の右側の係止溝１３ｂの一部のみを示しているが、後板１３には、前板１２と同じ係止溝が前後対称に形成されている。したがって、これらの係止溝に関する以下の説明では、前板１２に形成された係止溝１２ａ、１２ｂについてのみ説明するものとする。
【００２７】
ロック用ロッド７は、前板１２及び後板１３を、係止溝１２ａ、１２ｂを介して貫通し、前端部が前板１２よりも前方に、後端部が後板１３よりも後方に、それぞれ所定長さ突出している。また、左右のロック用ロッド７、７は、鍵盤ユニット４に対し、左右方向に移動自在にかつ鍵盤ユニット４と一体に昇降可能な状態で取り付けられている。なお、図示しないが、左右のロック用ロッド７、７の間には、両者７、７を互いに接近させるように付勢するばねが設けられている。
【００２８】
左右の係止溝１２ａ、１２ｂは、いずれも正面形状がコ字状に形成され、開放する部分が互いに左右方向に対向するように、前板１２の左下及び右下の所定位置に形成されている。そして、これらの係止溝１２ａ、１２ｂに係合するロック用ロッド７は、上下方向に所定長さ、昇降が許容されるとともに、係止溝１２ａ、１２ｂの上下端部においてそれぞれ、左右方向の内側に若干移動した上下の所定位置（以下「上側ロック位置」及び「下側ロック位置」という）に、上下方向に移動不能に係止される。
【００２９】
図２（ａ）に示すように、例えば右中鍵盤ブロック２Ｄの左右のロック用ロッド７、７を左右の係止溝１２ａ、１２ｂの上側ロック位置に位置させることにより、その鍵盤ブロック２Ｄの鍵盤ユニット４は、その全ての鍵３が収容ケース５の上端よりも上方に位置する演奏位置にロックれる。一方、同図（ｂ）に示すように、左右のロック用ロッド７、７を左右の係止溝１２ａ、１２ｂの下側ロック位置に位置させることにより、鍵盤ユニット４は、その全ての鍵３が上記の演奏位置よりも下位でかつ収容ケース５の上端よりも下方に位置する収納位置にロックされる。
【００３０】
なお、各鍵盤ブロック２の鍵盤ユニット４を、演奏位置と収納位置の間で昇降させる際には、左右のロック用ロッド７、７を、両者７、７の間のばねの付勢力に抗して、互いに離れるように、左右方向に移動させた後、係止溝１２ａ、１２ｂに沿って昇降させる。これにより、鍵盤ユニット４を、演奏位置と収納位置の間で容易に昇降させ、一方の位置に容易にロックすることができる。
【００３１】
以上のように構成された鍵盤ブロック２は、前後方向に延びる回動軸８ａを有するヒンジ８を介して、回動自在に連結されている。なお、図面では、ヒンジ８について、便宜上、回動軸８ａのみを示しているが、ヒンジ８は、２つの部材を、展開及び折畳み可能なものであれば、一般的な構造のものを含めて、種々の構造のものを採用することが可能である。
【００３２】
上記のヒンジ８として、例えば、２つのヒンジプレートが、回動軸８ａを介して回動自在に連結された一般的なものを採用した場合、一方のヒンジプレートを、互いに隣接する鍵盤ブロック２、２の一方の収容ケース５に、他方のヒンジプレートを、他方の収容ケース５に固定する。具体的には、図２（ｂ）に示すように、中央鍵盤ブロック２Ｃと右中鍵盤ブロック２Ｄとの間では、前後２つのヒンジ８、８により、中央鍵盤ブロック２Ｃの前板１２及び後板１３の右上隅部と、右中鍵盤ブロック２Ｄの前板１２及び後板１３の左上隅部との間がそれぞれ連結されている。なお、上記の両ヒンジ８、８の回動軸８ａ、８ａは同一直線上に位置している。
【００３３】
上記のように、前後２つのヒンジ８、８で連結された中央鍵盤ブロック２Ｃと右中鍵盤ブロック２Ｄとを折り畳む場合、図２（ｃ）に示すように、両ヒンジ８、８の回動軸８ａ、８ａを中心として、右中鍵盤ブロック２Ｄを反時計方向に回動させ、中央鍵盤ブロック２Ｃ上に載置させる。これにより、中央鍵盤ブロック２Ｃに対し、右中鍵盤ブロック２Ｅを容易に折り畳むことができる。
【００３４】
また、上記のヒンジ８は、互いに隣接する鍵盤ブロック２、２に応じて、所定の位置に配置されている。すなわち、図１に示すように、左端鍵盤ブロック２Ａと左中鍵盤ブロック２Ｂとの間では下側の隅部に、左中鍵盤ブロック２Ｂと中央鍵盤ブロック２Ｃとの間では上側の隅部に、中央鍵盤ブロック２Ｃと右中鍵盤ブロック２Ｄとの間では、前述したように上側の隅部に、さらに、右中鍵盤ブロック２Ｄと右端鍵盤ブロック２Ｅとの間では、下側の隅部に、前後２つのヒンジ８が配置されている。
【００３５】
次に、図３〜図５を参照して、鍵盤装置１の折畳み動作について説明する。まず、前述した図１に示す鍵盤装置１において、全ての鍵盤ブロック２に対し、演奏位置に位置する鍵盤ユニット４のロック機構６によるロックを解除し、図３に示すように、それらの鍵盤ユニット４を下方の収納位置に移動させ、ロック機構６によって再度、ロックする。これにより、全ての鍵盤ブロック２では、鍵盤ユニット４の鍵３はいずれも、収容ケース５の上端よりも下方に位置する。そして、この状態から、鍵盤装置１を以下のようにして折り畳む。
【００３６】
図４は、５つの鍵盤ブロック２Ａ〜２Ｅで構成された鍵盤装置１の折畳み手順の一例を模式的に示している。なお、図４の互いに隣接する鍵盤ブロック間の「○」は、ヒンジ８の回動軸８ａを示している。
【００３７】
まず、図４（ａ）に示す展開状態から、同図（ｂ）に示すように、左端鍵盤ブロック２Ａ及び左中鍵盤ブロック２Ｂを一体にして、上方に回動させる。次いで、同図（ｃ）に示すように、両鍵盤ブロック２Ａ及び２Ｂのうち、左端鍵盤ブロック２Ａのみを反時計方向に回動させる。そして、同図（ｄ）に示すように、左中鍵盤ブロック２Ｂを中央鍵盤ブロック２Ｃ上に載置させるとともに、左端鍵盤ブロック２Ａを左中鍵盤ブロック２Ｂ上に載置させる。
【００３８】
その後、図４（ｅ）に示すように、右端鍵盤ブロック２Ｅ及び右中鍵盤ブロック２Ｄを一体にして、上方に回動させる。次いで、同図（ｆ）に示すように、両鍵盤ブロック２Ｅ及び２Ｄのうち、右端鍵盤ブロック２Ｅのみを時計方向に回動させる。そして、同図（ｇ）に示すように、右中鍵盤ブロック２Ｄを中央鍵盤ブロック２Ｃ上に載置させるとともに、右端鍵盤ブロック２Ｅを右中鍵盤ブロック２Ｄ上に載置させる。以上により、鍵盤装置１の折畳みが終了し、鍵盤装置１が折畳み状態となる。
【００３９】
図５は、折り畳まれた鍵盤装置１を示している。同図に示すように、５つの鍵盤ブロック２Ａ〜２Ｅは、それぞれの収容ケース５が上下方向に接した状態で、折り畳まれている。具体的には、中央鍵盤ブロック２Ｃと、左中鍵盤ブロック２Ｂ及び右中鍵盤ブロック２Ｄとは、前板１２、１２同士が接するとともに、後板１３、１３同士が接している。また、左中鍵盤ブロック２Ｂと左端鍵盤ブロック２Ａ、及び右中鍵盤ブロック２Ｄと右端鍵盤ブロック２Ｅはいずれも、底板１１、１１同士が接している。
【００４０】
また、上記の折り畳まれた鍵盤装置１を使用する場合には、上述した折畳み手順と逆の手順で展開し（図３に示す状態）、全ての鍵盤ブロック２Ａ〜２Ｂの鍵盤ユニット４を、収納位置から上方の演奏位置に移動させて、ロックする（図１に示す状態）。
【００４１】
以上詳述したように、本実施形態の鍵盤装置１によれば、５つの鍵盤ブロック２Ａ〜２Ｅが、前後方向に延びる回動軸８ａを有するヒンジ８を介して、互いに回動自在に連結されている。また、各鍵盤ブロック２の鍵盤ユニット４が、演奏位置と収納位置との間で昇降自在に構成され、それらの位置でそれぞれロック可能に構成されている。したがって、この鍵盤装置１では、展開状態において、全ての鍵盤ブロック２の鍵盤ユニット４を演奏位置にロックすることにより、収容ケース５が邪魔になることなく、所定の押鍵動作、すなわちアコースティックピアノに近似したタッチ感が得られる押鍵動作を確保しながら、鍵盤を操作することができる。また、鍵盤装置１を折り畳む場合に、全ての鍵盤ブロック２の鍵盤ユニット４を収納位置にロックし、前述したように折り畳むことにより、折畳みの際に鍵３が邪魔になることなく、鍵盤装置１を容易に折り畳むことができる。
【００４２】
なお、本発明は、説明した上記実施形態に限定されることなく、種々の態様で実施することができる。例えば、実施形態では、鍵盤装置１を５つの鍵盤ブロック２Ａ〜２Ｅで構成したが、本発明はこれに限定されるものではなく、鍵盤ユニット４が１オクターブ分以上の鍵３を有するものであれば、上記の５つ以外の数（例えば３つ）で鍵盤ブロック２を構成してもよい、また、各鍵盤ブロック２のロック機構６として、左右一対のロック用ロッド７、７、並びに収容ケース５の前板１２及び後板１３に形成した係止溝１２ａ、１２ｂによって構成したが、鍵盤ユニット４を上下の演奏位置及び収納位置にロック可能であれば、種々の構成のロック機構を採用することが可能である。
【００４３】
さらに、実施形態では、互いに隣接する鍵盤ブロック２、２の上側又は下側の隅部にヒンジ８を取り付け、鍵盤装置１を折り畳む場合の一例を説明したが、本発明はこれに限定されるものではなく、鍵盤ブロック２の数やヒンジ８の取付け位置を適宜、設定することにより、鍵盤装置を種々の形態に折り畳むことが可能である。また、実施形態で示した鍵盤ブロック２、鍵盤ユニット４、収容ケース５、ロック機構６、及びヒンジ８の細部の構成などは、あくまで例示であり、本発明の趣旨の範囲内で適宜、変更することができる。
【符号の説明】
【００４４】
１    鍵盤装置
２    鍵盤ブロック
２Ａ  左端鍵盤ブロック
２Ｂ  左中鍵盤ブロック
２Ｃ  中央鍵盤ブロック
２Ｄ  右中鍵盤ブロック
２Ｅ  右端鍵盤ブロック
３    鍵
３ａ  白鍵
３ｂ  黒鍵
４    鍵盤ユニット
５    収容ケース
６    ロック機構（ロック手段）
７    ロック用ロッド
８    ヒンジ
８ａ  回動軸
１１    収容ケースの底板
１２    収容ケースの前板
１２ａ  前板の左側の係止溝
１２ｂ  前板の右側の係止溝
１３    収容ケースの後板
１３ｂ  後板の右側の係止溝
【図１】
2019174591.tif 000003
【図２】
2019174591.tif 000004
【図３】
2019174591.tif 000005
【図４】
2019174591.tif 000006
【図５】
2019174591.tif 000007